(57)【要約】      （修正有）【課題】必要な薬剤の迅速かつ安全な投与が可能なキットを提供する。【解決手段】キットは、少なくとも１つの薬剤送達装置４、４ａおよび映像装置３を収容する箱１を含む。映像装置３は、薬剤送達装置４、４ａを使用するための視覚指示または視聴覚指示を提供するように構成される。薬剤送達装置４、４ａおよび映像装置３の両方が、箱１に取り外し可能に取り付けられる。薬剤送達装置４、４ａおよび映像装置３の箱１からの取り外しにより、箱１全体を持ち運ぶ必要なしに、薬剤送達装置４、４ａおよび映像装置３を持ち運ぶことが可能となる。箱１なしで薬剤送達装置４、４ａおよび映像装置３を持ち運ぶことは、かさばる箱１全体を持ち運ぶことに比べてはるかに楽であるため、薬剤送達装置４、４ａが必要な時に利用可能となる。【選択図】図２
0003221650.tif 000002
【実用新案登録請求の範囲】
【請求項１】
少なくとも１つの薬剤送達装置（４、４ａ）および映像装置（３）を収容する箱（１）を含むキットであって、前記少なくとも１つの薬剤送達装置（４、４ａ）および前記映像装置（３）の両方が、前記箱（１）に取り外し可能に取り付けられる、キット。
【請求項２】
前記映像装置に加えて映像アクセス手段をさらに含む、請求項１に記載のキット。
【請求項３】
前記映像アクセス手段は、（ａ）前記薬剤送達装置を使用するための映像指示に関連する情報を含むグラフィック表示、および（ｂ）前記薬剤送達装置を使用するための映像指示を含むデータ記憶装置のうちの一方または両方を含む、請求項２に記載のキット。
【請求項４】
前記グラフィック表示は、統一資源識別子（ＵＲＩ）を記載したデータを表すバーコードを含み、好ましくは、前記バーコードは、二次元バーコードであり、より好ましくは、前記バーコードは、クイックレスポンスコード（ＱＲコード）である、請求項２に記載のキット。
【請求項５】
前記データ記憶装置は、パーソナルコンピュータと通信するための統合インターフェースを含み、好ましくは、前記データ記憶装置は、ユニバーサルシリアルバス（ＵＳＢ）メモリデバイスである、請求項３に記載のキット。
【請求項６】
前記箱（１）は、開放位置と閉鎖位置との間を動くことができる蓋（２）によって、閉鎖可能である、請求項１から５のいずれか一項に記載のキット。
【請求項７】
前記蓋（２）は、前記蓋（２）を前記箱（１）の体部に着脱可能に取り付けることによって、前記蓋（２）を前記閉鎖位置に固定するための閉鎖手段（２ａ）を含む、請求項６に記載のキット。
【請求項８】
前記閉鎖手段（２ａ）は、前記箱（１）の前記体部上の対応する閉鎖手段と相互作用するように構成され、その結果、前記蓋（２）上の前記閉鎖手段（２ａ）と、前記箱（１）の前記体部上の前記対応する閉鎖手段とが、磁気ロック、ジッパー、および面ファスナーからなる群から選択される、閉鎖機構を形成する、請求項７に記載のキット。
【請求項９】
前記少なくとも１つの薬剤送達装置（４、４ａ）および前記映像装置（３）は、前記蓋（２）が前記閉鎖位置にあるときに前記少なくとも１つの薬剤送達装置（４、４ａ）および前記映像装置（３）へのアクセスが妨げられるように、前記箱（１）に取り外し可能に取り付けられる、請求項１から８の少なくともいずれか一項に記載のキット。
【請求項１０】
前記少なくとも１つの薬剤送達装置（４、４ａ）および前記映像装置（３）は、前記少なくとも１つの薬剤送達装置（４、４ａ）および前記映像装置（３）が互いとは無関係に前記箱（１）から取り外され得るように、前記箱（１）に取り外し可能に取り付けられる、請求項１から９の少なくともいずれか一項に記載のキット。
【請求項１１】
前記箱（１）は、第１の薬剤送達装置（４）および第２の薬剤送達装置（４ａ）を収容する、請求項１から１０の少なくともいずれか一項に記載のキット。
【請求項１２】
前記少なくとも１つの薬剤送達装置（４、４ａ）は、事前充填医療用注射器、自動注射器、吸入器、および経皮的送達装置からなる群から選択される、請求項１から１１の少なくともいずれか一項に記載のキット。
【請求項１３】
前記少なくとも１つの薬剤送達装置（４、４ａ）は、少なくとも１つの活性成分を含む、請求項１から１２の少なくともいずれか一項に記載のキット。
【請求項１４】
前記活性成分は、エピネフリン、インスリン、ヒト成長ホルモン（ＨＧＨ）、および赤血球生成促進剤（ＥＳＡ）からなる群から選択される、請求項１から１３の少なくともいずれか一項に記載のキット。
【請求項１５】
前記映像装置（３）の寸法は、多くとも２０×１０×２ｃｍ、好ましくは１５×８×１．５ｃｍ、さらに好ましい１２×６×１．２ｃｍである、請求項１から１４の少なくともいずれか一項に記載のキット。
【請求項１６】
前記映像装置（３）は、前記薬剤送達装置（４、４ａ）を使用するための視覚指示または視聴覚指示を提供するように構成される、請求項１から１５の少なくともいずれか一項に記載のキット。
【請求項１７】
前記箱（１）は、薬剤送達装置ダミー（６）をさらに含む、請求項１から１６の少なくともいずれか一項に記載のキット。
【請求項１８】
前記箱（１）は、前記少なくとも１つの薬剤送達装置（４、４ａ）および／または前記映像装置（３）のための取り外し可能な外被（５）をさらに含む、請求項１から１７の少なくともいずれか一項に記載のキット。
【請求項１９】
前記外被（５）は、前記少なくとも１つの薬剤送達装置（４、４ａ）を受容するための第１の区画（９）と、前記映像装置（３）を受容するための第２の区画（１０）と、を含む、請求項９に記載のキット。
【考案の詳細な説明】
【技術分野】
【０００１】
本考案は、薬剤の投与のためのキットに関する。
【背景技術】
【０００２】
例えば事前充填医療用注射器、吸入器、経皮的送達装置などといった自己投与薬剤送達装置は、しばしば、患者の薬物治療計画の一環として使用される。例えば、既知の自己投与薬剤送達装置は、患者の救急治療計画の一環として使用され得る。救急治療計画は、例えば、アレルギー反応に応じて薬剤、例えばエピネフリン、を速やかに自己投与するため、または例えば中毒等のような他の緊急状態の治療のため、自動注射器を使用することを含み得る。既知の自己投与薬剤送達装置は、患者の長期療養計画の一環としても使用され得る。長期療養計画は、例えば、所定のプランに従って薬剤を自己投与するためにペン型注射器を使用することを含み得る。長期療養計画の例は、例えば、インスリンの注射、ヒト成長ホルモン（ＨＧＨ）の注射、赤血球生成促進剤（ＥＳＡ）、インターフェロン、および他の長期治療などを含み得る。さらに、自己投与薬剤送達装置は、防止的／予防的治療にも使用され得る。防止的／予防的治療の例は、インフルエンザワクチンなどの特定のワクチンを含む。
【０００３】
いくつかの既知の薬剤送達装置を作動させるため、使用者は、一連の作業を実行しなければならない場合がある。例えば、いくつかの既知の自動注射器を作動させるため、使用者は、保護キャップを取り外し、ロック装置を取り外し、自動注射器を身体に接する適切な位置に置き、その後、ボタンを押して自動注射器を作動させなければならない。これらの作業を適切に完了できない場合、不完全な注射および／または身体の望ましくない場所への注射を結果として生じ得る。
【０００４】
既知の薬剤送達装置の不適切な使用の可能性は、使用者の性質および／またはこのような装置が使用される状況によって悪化し得る。例えば、多くの使用者は、熟練した医療専門家ではなく、このような装置の操作の訓練を受けたことがないかもしれない。さらに、特定の状況では、使用者は患者ではない場合があり、したがって、薬剤送達装置の経験がない場合がある。同様に、いくつかの既知の薬剤送達装置は、アレルギー反応などに応じて比較的まれに使用されるように構成されているので、装置に精通していて、かつ／または熟練している使用者であっても、装置の操作に十分に熟達していない場合がある。最後に、このような装置は、しばしば、緊急事態中に使用されなければならず、その間、経験を積んだ、かつ／または熟練した使用者であっても、混乱、パニックおよび／または治療を必要とする症状の生理学的影響を受ける場合がある。治療を必要とする人が、必要な薬品の迅速かつ安全な投与によって、鎮静し、あらゆるパニックを収められることが不可欠である。緊急事態に気づいた人たちが患者を助け得ることも可能でなければならない。最良のシナリオでは、高齢者および子供であっても、患者を助けられる立場になくてはならない。
【０００５】
米国特許第９，２７８，１７７（Ｂ２）号では、薬剤送達装置を使用するための段階的な指示を示すスピーカーおよびＬＣＤスクリーンによって視聴覚出力を提供する出力装置と共に薬剤送達装置が提供された場合に、既知の薬剤送達装置の不適切な使用の可能性が実質的に低下し得ることが、示唆されている。
【０００６】
米国特許第９，２７８，１７７（Ｂ２）号は、薬剤送達装置および出力装置が共に、医療用システムとして、薬剤送達装置および出力装置の両方を収容する箱の形態で、提供されることを示唆している。しかしながら、米国特許第９，２７８，１７７（Ｂ２）号によ
り示唆されるシステムによると、患者は、薬剤送達装置を使用するための視聴覚指示を受け取ることができるように、箱全体を持ち運ばなければならない。
【０００７】
しかしながら、このことは、このような箱がかさばり、箱を持ち運ぶことが不便で望ましくないため、不都合である。したがって、患者は、常に薬剤送達装置を持ち運んではいない場合があり、その結果、薬剤送達装置が必要な時に利用可能ではない場合がある。さらに、患者は、薬剤送達装置のみを持ち運び、かつかさばる箱を持ち運ぶのを回避するために、薬剤送達装置を箱から取り外す場合がある。しかしながら、このような場合、薬剤送達装置を使用するための視聴覚指示は、必要な時に利用可能ではない場合があり、その結果、薬剤送達装置の不適切な使用の可能性が高まる。
【先行技術文献】
【特許文献】
【０００８】
【特許文献１】米国特許第９，２７８，１７７（Ｂ２）号
【考案の概要】
【課題を解決するための手段】
【０００９】
先行技術の問題は、実用新案登録請求の範囲の主題によって解決される。これらの問題は、特に、少なくとも１つの薬剤送達装置（４、４ａ）および映像装置（３）を収容する箱（１）を含むキットによって、解決され、少なくとも１つの薬剤送達装置（４、４ａ）および映像装置（３）の両方が、箱（１）に取り外し可能に取り付けられる。
【００１０】
映像装置は、映像を再生するための装置である。本明細書で使用される場合、用語「映像」は、薬剤送達装置を使用するための視覚指示を中継して伝えるために連続して提示される一連の画像を指す。画像が連続して提示される速度は、特に制限されていない。画像は、視聴者に、薬剤送達装置を使用するための視覚指示を動画として認識させる速度で、連続して提示され得る。すなわち、画像が提示される速度は、視聴者に、薬剤送達装置を使用するための視覚指示を、連続して動く画像として認識させる速度であってよい。あるいは、この速度は、薬剤送達装置を使用するための視覚指示がスライドショーとして提示されるようなものであってよい。すなわち、画像が提示される速度は、画像が一連の画像のうちの次の画像に置き換えられる瞬間を視聴者が認識するようなものであってよい。この一連の画像がスライドショーとして提示される実施例では、連続したものの提示は、自動であり、かつ／または一連の画像のうちの次の画像もしくは前の画像による画像の置き換えをもたらす使用者の入力を伴うことができる。
【図面の簡単な説明】
【００１１】
【図１】本考案の、閉鎖状態にある箱（１）の斜視図を示す。
【図２】本考案のある実施形態による、開放状態にある箱（１）の斜視図を示す。
【図３】本考案の代替的な実施形態による、開放状態にある箱（１）の斜視図を示す。
【図４】本考案のさらなる代替的な実施形態による、開放状態にある箱（１）の斜視図を示す。
【図５】少なくとも１つの薬剤送達装置（４、４ａ）のため、および映像装置（３）のための、取り外し可能な外被（５）の斜視図を示す。
【考案を実施するための形態】
【００１２】
本考案のキットは、箱（１）を含む。箱（１）は、少なくとも１つの薬剤送達装置（４、４ａ）と映像装置（３）とをコンパクトに組み合わせるのに有用である。原理的には、少なくとも１つの薬剤送達装置（４、４ａ）および映像装置（３）を収容するように十分大きいあらゆる種類の箱（１）が、適切である。箱（１）は、好ましくは、外力による少
なくとも１つの薬剤送達装置（４、４ａ）および／または映像装置（３）への損傷を防ぐために、丈夫な材料から作られている。好ましい材料は、ボール紙、プラスチック、および金属からなる群から選択される。
【００１３】
好ましくは、キットは、映像装置に加え、映像アクセス手段（１１）を含む。映像アクセス手段は、薬剤送達装置を使用するための視覚指示（映像指示）を含む訓練映像にアクセスするのに使用され得る。上で論じたとおり、訓練映像は、動画像、またはスライドショーを含み得る。好ましくは、訓練映像は、動画像を含む。映像指示は、好ましくは、薬剤送達装置（４、４ａ）を使用するための段階的な指示である。
【００１４】
映像装置は、異なる映像を訓練映像に表示するためのものであってよい。例えば、映像装置は、画像が提示される速度が、画像が一連の画像のうちの次の画像に置き換えられる瞬間を視聴者が認識するようにされた、映像を表示するためのものであってよく、訓練映像は、視聴者に薬剤送達装置を使用するための視覚指示を動画として認識させる速度で表示され得る。
【００１５】
映像アクセス手段（１１）を含む実施形態では、箱（１）は、少なくとも１つの薬剤送達装置（４、４ａ）、映像装置（３）、および映像アクセス手段（１１）を収容するように十分大きい。
【００１６】
いくつかの実施形態では、映像アクセス手段は、薬剤送達装置（４、４ａ）を使用するための映像指示に関連する情報を含むグラフィック表示を含む。好ましくは、グラフィック表示は、訓練映像が使用され得る場所への参照を記載したデータを表す。いくつかの実施形態では、場所への参照は、統一資源識別子である。例えば、統一資源識別子は、ウェブページ（「ウェブアドレス」）を参照する統一資源位置指定子であってよい。
【００１７】
いくつかの実施形態では、グラフィック表示は、バーコードを含む。バーコードは、二次元（２Ｄ）バーコードであってよい。すなわち、バーコードは、マトリックスバーコードであってよい。好ましくは、バーコードは、クイックレスポンスコード（ＱＲコード（登録商標））である。これらの実施形態では、バーコードは、映像指示を見ることができる場所への参照を記載したデータを表す。好ましくは、この参照は、ＵＲＩである。好ましくは、ＵＲＩは、訓練映像を見ることができるウェブページのＵＲＬである（すなわち、ＵＲＩは、ウェブページのアドレスである）。
【００１８】
グラフィック表示は、機械可読である。いくつかの実施形態では、グラフィック表示は、モバイル機器（例えば、携帯電話）によって読み取られ得る。グラフィック表示をスキャンすることによって、モバイル機器は、薬剤送達装置を使用するための映像指示に関連する情報を得ることができる。
【００１９】
いくつかの実施形態では、映像アクセス手段は、薬剤送達装置を使用するための映像指示を含む映像を含んでいるデータ記憶装置を含む。データ記憶装置は、任意のタイプのデータ記憶装置であってよい。データ記憶装置は、電子的、磁気的、光学的、および／または他のタイプの記憶媒体を組み込み得る。例えば、いくつかの実施形態では、データ記憶装置は、光学ディスクである。いくつかの他の実施形態では、データ記憶装置は、メモリカードなどのソリッドステートメモリデバイスである。好ましくは、データ記憶装置は、ＵＳＢドライブである。これらの実施形態では、データ記憶装置は、映像データを含む。
【００２０】
いくつかの実施形態では、データ記憶装置（例えば、ＵＳＢドライブ）は、薬剤送達装置を使用するための映像指示を含む訓練映像を含むのみである。
あるいは、データ記憶装置は、薬剤送達装置を使用するための映像指示を含む訓練映像
を再生するためのプレーヤーをさらに含み得る。プレーヤーは、映像データを再生するための１つのハードウェアまたはソフトウェアプログラムであってよい。これらの実施形態では、データ記憶装置は、１つまたは複数のプログラムによってコード化され得、１つまたは複数のプログラムは、１つまたは複数の処理装置によって実行されると、映像指示を含む訓練映像を表示させる。
【００２１】
データ記憶装置（１１）は、データをコンピュータに伝達するための統合物理インターフェースを含み得る。
映像装置（３）に加えて映像アクセス手段（１１）を設けることによって、キットは、映像指示の見方に関するさらなるオプションを使用者に提供し得る。このようにして、キットは、改善された使用者の便利性を提供し得る。加えて、映像アクセス手段は、映像装置が機能不全である場合に、フェイルセーフを提供し得る。このことは、薬剤送達装置の不適切な使用のリスクを減少させ得る。
【００２２】
好ましくは、映像指示は、薬剤送達装置を使用するための視聴覚指示を含む。
好ましくは、本考案の箱（１）は閉鎖可能である。よって、箱（１）は、好ましくは、開放状態から閉鎖状態へ、また、閉鎖状態から開放状態へ、可逆的に切り替え可能である。好ましくは、箱（１）は、箱（１）を閉鎖するように構成された蓋（２）を含む。好ましくは、蓋（２）は、箱（１）の中の少なくとも１つの薬剤送達装置（４、４ａ）および映像装置（３）へのアクセスが可能である開放位置と、箱（１）の中の少なくとも１つの薬剤送達装置（４、４ａ）および映像装置（３）へのアクセスが蓋（２）によって妨げられる閉鎖位置との間を動き得る。オプションとして、閉鎖位置では、箱（１）の中の映像アクセス手段へのアクセスも、蓋（２）によって妨げられる。好ましくは、蓋（２）は、蓋（２）を箱の体部に接続する蝶番によって、開放位置と閉鎖位置との間を動き得る。好ましくは、蓋（２）は、蓋（２）を箱（１）の体部に着脱可能に取り付けることによって、蓋（２）を閉鎖位置に固定するための閉鎖手段（２ａ）を含む。好ましくは、閉鎖手段（２ａ）は、蝶番の反対側に位置する。好ましくは、閉鎖手段（２ａ）は、箱（１）の体部上の対応する閉鎖手段と相互作用するように構成され、その結果、蓋（２）上の閉鎖手段（２ａ）と、箱（１）の体部上の対応する閉鎖手段とが、閉鎖機構を形成する。好ましい閉鎖機構は、磁気ロック、ジッパー、および面ファスナーからなる群から選択される。
【００２３】
箱（１）は、少なくとも１つの薬剤送達装置（４、４ａ）を収容する。好ましくは、箱（１）は、ちょうど２つの薬剤送達装置（４、４ａ）、好ましくは第１の薬剤送達装置（４）と第２の薬剤送達装置（４ａ）と、を収容する。好ましくは、第１の薬剤送達装置（４）および第２の薬剤送達装置（４ａ）は、交換可能である。好ましくは、本考案の薬剤送達装置（４、４ａ）は、薬剤の自己投与のために構成される。好ましい薬剤送達装置（４、４ａ）は、事前充填医療用注射器、自動注射器、吸入器、および経皮的送達装置からなる群から選択される。
【００２４】
好ましくは、薬剤送達装置（４、４ａ）は、少なくとも１つの活性成分を含む。好ましい活性成分は、エピネフリン、インスリン、ヒト成長ホルモン（ＨＧＨ）、赤血球生成促進剤（ＥＳＡ）、インターフェロン、およびインフルエンザワクチンなどのワクチンからなる群から選択される。より好ましくは、活性成分は、エピネフリン、インスリン、ヒト成長ホルモン（ＨＧＨ）、および赤血球生成促進剤（ＥＳＡ）からなる群から選択される。
【００２５】
箱（１）は、映像装置（３）も収容する。映像装置（３）は、好ましくは、薬剤送達装置（４、４ａ）を使用するための視覚指示または視聴覚指示を提供するように構成される。視聴覚指示が好ましい。指示は、好ましくは、薬剤送達装置（４、４ａ）を使用するための段階的な指示である。薬剤送達装置（４、４ａ）を使用するための指示は、薬剤送達
装置（４、４ａ）の不適切な使用の可能性を低下させるのに有用である。
【００２６】
キットは、箱が開いているときに映像装置による薬剤送達装置を使用するための指示のプレイバックを開始するための手段を含み得る。好ましくは、キットは、箱が開いているときに映像装置による薬剤送達装置を使用するための指示のプレイバックを自動的に開始するための手段を含む。例えば、キットは、箱が開いているのを検出するように配列されたセンサと、センサからの、箱が開いていることを示す信号に応じて視覚指示または視聴覚指示を再生するために映像装置を制御するように構成されたコントローラと、を含み得る。
【００２７】
好ましくは、映像装置（３）は、比較的小さい。比較的小さい映像装置（３）は、好都合に持ち運ばれ得る。好ましくは、映像装置（３）のサイズは、薬剤送達装置（４、４ａ）のサイズと同等である。これにより、映像装置（３）および薬剤送達装置（４、４ａ）が好都合に一緒に持ち運ばれ得ることが可能となる。好ましくは、映像装置（３）の長さは、薬剤送達装置（４、４ａ）の長さの、多くとも２００％、より好ましくは多くとも１５０％、より好ましくは多くとも１２５％、より好ましくは多くとも１１０％である。好ましくは、映像装置（３）の幅は、薬剤送達装置（４、４ａ）の幅の、多くとも２００％、より好ましくは多くとも１５０％、より好ましくは多くとも１２５％、より好ましくは多くとも１１０％である。好ましくは、映像装置（３）の厚さは、薬剤送達装置（４、４ａ）の厚さの、多くとも２００％、より好ましくは多くとも１５０％、より好ましくは多くとも１２５％、より好ましくは多くとも１１０％である。好ましくは、映像装置（３）の長さは、多くとも２０ｃｍ、より好ましくは多くとも１５ｃｍ、より好ましくは多くとも１２ｃｍ、より好ましくは多くとも１０ｃｍである。好ましくは、映像装置（３）の幅は、多くとも１０ｃｍ、より好ましくは多くとも８ｃｍ、より好ましくは多くとも６ｃｍ、より好ましくは多くとも５ｃｍである。好ましくは、映像装置（３）の厚さは、多くとも２ｃｍ、より好ましくは多くとも１．５ｃｍ、より好ましくは多くとも１．２ｃｍ、より好ましくは多くとも１ｃｍ、より好ましくは多くとも０．８ｃｍ、より好ましくは多くとも０．５ｃｍ、より好ましくは多くとも０．２ｃｍである。好ましくは、映像装置（３）の寸法は、多くとも２０×１０×２ｃｍ、より好ましくは、多くとも１５×８×１．５ｃｍ、より好ましくは多くとも１２×６×１ｃｍ、より好ましくは多くとも１０×５×０．５ｃｍである。例えば、多くとも２０×１０×２ｃｍの寸法は、この説明によれば、映像装置（３）が多くとも２０ｃｍの長さ、多くとも１０ｃｍの幅、および多くとも２ｃｍの厚さを有することを意味している。
【００２８】
少なくとも１つの薬剤送達装置（４、４ａ）および映像装置（３）の両方は、箱（１）に取り外し可能に取り付けられる。少なくとも１つの薬剤送達装置（４、４ａ）および映像装置（３）の箱（１）からの取り外しにより、箱（１）全体を持ち運ぶ必要なしに、少なくとも１つの薬剤送達装置（４、４ａ）および映像装置（３）を持ち運ぶことが可能となる。箱（１）なしで少なくとも１つの薬剤送達装置（４、４ａ）および映像装置（３）を持ち運ぶことは、かさばる箱（１）全体を持ち運ぶことに比べてはるかに楽であるため、先行技術と比べて、薬剤送達装置（４、４ａ）が必要な時に利用可能となるように患者が実際に常に薬剤送達装置（４、４ａ）を持ち運ぶ可能性が高くなる。さらに、映像装置はかさばる箱（１）から取り外され得るので、先行技術と比べて、薬剤送達装置（４、４ａ）を使用するための指示が必要な時に利用可能となるように患者が映像装置（３）も持ち運ぶ可能性が高くなる。よって、薬剤送達装置（４、４ａ）の不適切な使用の可能性が、先行技術と比べて低下する。
【００２９】
キットが映像アクセス手段（１１）を含む実施形態では、映像アクセス手段は、好ましくは、箱（１）に取り外し可能に取り付けられる。これにより、映像アクセス手段を箱（１）とは無関係に持ち運ぶことができ、このことは、箱（１）全体を持ち運ぶのと比べて
、さらに楽であり得る。
【００３０】
好ましくは、少なくとも１つの薬剤送達装置（４、４ａ）および映像装置（３）は、保持手段によって箱（１）に取り付けられる。好ましくは、保持手段は、箱（１）の一部である。映像装置（３）のための保持手段（２ｂ）は、好ましくは、蓋（２）の内表面に位置する。
【００３１】
オプションとして、映像アクセス手段（１１）も、保持手段によって箱（１）に取り付けられる。好ましくは、映像アクセス手段（１１）は、少なくとも１つの薬剤送達装置（４、４ａ）および映像装置（３）とは無関係に箱（１）に取り外し可能に取り付けられ、その結果、映像アクセス手段は、少なくとも１つの薬剤送達装置（４、４ａ）および映像装置（３）とは無関係に箱（１）から取り外され得る。
【００３２】
好ましくは、少なくとも１つの薬剤送達装置（４、４ａ）および映像装置（３）は、蓋（２）が閉鎖位置にあるときに少なくとも１つの薬剤送達装置（４、４ａ）および映像装置（３）へのアクセスが妨げられるように、箱（１）に取り付けられる。そのような方法で、少なくとも１つの薬剤送達装置（４、４ａ）および映像装置（３）は、蓋（２）が閉鎖位置にある場合に外力から保護される。
【００３３】
好ましくは、少なくとも１つの薬剤送達装置（４、４ａ）および映像装置（３）は、少なくとも１つの薬剤送達装置（４、４ａ）および映像装置（３）が互いとは無関係に箱（１）から取り外され得るように、箱（１）に取り外し可能に取り付けられる。そのような方法で、患者は、少なくとも１つの薬剤送達装置（４、４ａ）もしくは映像装置（３）または少なくとも１つの薬剤送達装置（４、４ａ）および映像装置（３）の両方が持ち運ばれるべきかどうかを決定することができる。例えば、薬剤の自己投与の経験が豊富な患者では、映像装置（３）を持ち運ぶ必要はない。他方、映像装置（３）が別個に持ち運ばれ得ると有利になり得、それは、映像装置（３）がその後、高価で潜在的に繊細な薬剤送達装置（４、４ａ）を持ち運ぶ必要なしに、訓練目的で使用され得るためである。さらに、映像装置（３）および薬剤送達装置（４、４ａ）が不可分に互いに接続された場合、映像装置（３）によって与えられる指示を受け取ること、および薬剤送達装置（４、４ａ）の使用によって薬剤を投与することの双方に不都合となり得る。
【００３４】
好ましくは、箱（１）は、薬剤送達装置ダミー（６）をさらに含む。このようなダミー（６）は、薬剤送達装置（４、４ａ）を適用する方法を試験するのに有用となり得る。好ましくは、薬剤送達装置ダミー（６）は、薬剤送達装置（４、４ａ）と同様に構築される。しかしながら、薬剤送達装置ダミー（６）は、薬剤送達装置（４、４ａ）とは対照的に、いかなる薬剤も収容していない。よって、患者は、薬剤の自己投与を練習するために、映像装置（３）によって提供される指示に従って、薬剤送達装置ダミー（６）を使用することができる。
【００３５】
好ましくは、箱（１）は、少なくとも１つの薬剤送達装置（４、４ａ）および／または映像装置（３）のための取り外し可能な外被（５）をさらに含む。好ましくは、外被（５）は、袋（５）である。好ましくは、外被（５）は、少なくとも１つの薬剤送達装置（４、４ａ）を受容するための第１の区画（９）と、映像装置（３）を受容するための第２の区画（１０）と、を含む。これにより、映像装置（３）および薬剤送達装置（４、４ａ）は、好都合にも、一緒に持ち運ばれ得ることが可能となる。いくつかの実施形態では、箱（１）は、データ記憶装置（１１）を受容するための第３の区画をさらに含む。
【００３６】
好ましくは、第１の区画（９）は閉鎖可能である。よって、第１の区画（９）は、好ましくは、開放状態から閉鎖状態へ、また、閉鎖状態から開放状態へと、可逆的に切り替え
可能である。好ましくは、第１の区画（９）は、第１の区画（９）を閉鎖するように構成された蓋を含む。好ましくは、蓋は、第１の区画（９）の中の少なくとも１つの薬剤送達装置（４、４ａ）へのアクセスが可能である開放位置と、第１の区画（９）の中の少なくとも１つの薬剤送達装置（４、４ａ）へのアクセスが蓋によって妨げられる閉鎖位置との間を動くことができる。好ましくは、蓋は、蓋を外被（５）の体部に接続する蝶番によって開放位置と閉鎖位置との間を動くことができる。好ましくは、外被（５）は、第１の区画（９）が閉鎖状態になるように蓋を閉鎖に可逆的に固定するための閉鎖手段（７）を含む。好ましい閉鎖手段（７）は、磁気ロック、ジッパー、および面ファスナーからなる群から選択される。特に好ましい閉鎖手段（７）は、ジッパーである。
【００３７】
好ましくは、第２の区画（１０）は閉鎖可能である。よって、第２の区画（１０）は、好ましくは、開放状態から閉鎖状態へ、また、閉鎖状態から開放状態へと、可逆的に切り替え可能である。好ましくは、外被（５）は、第２の区画（１０）を可逆的に閉鎖するように、したがって、第２の区画（１０）を閉鎖状態に可逆的に固定するように構成された、閉鎖手段（８）を含む。好ましくは、閉鎖手段（８）は、第２の区画（１０）の中の映像装置（３）へのアクセスが可能である開放位置と、第２の区画（１０）の中の映像装置（３）へのアクセスが閉鎖手段（８）によって妨げられる閉鎖位置との間を動くことができる。好ましい閉鎖手段（８）は、ゴムバンド、磁気ロック、ジッパー、および面ファスナーからなる群から選択される。特に好ましい閉鎖手段（８）は、ゴムバンドおよび磁気ロックである。さらにいっそう好ましい閉鎖手段（８）は、ゴムバンドである。
【００３８】
好適な実施形態では、第１の区画（９）および第２の区画（１０）の両方が閉鎖可能である。
本考案の箱（１）は、薬剤送達装置ダミー（６）と、少なくとも１つの薬剤送達装置（４、４ａ）および／または映像装置（３）のための取り外し可能な外被（５）と、の両方を含むこともできる。
【００３９】
本考案は、図１〜図５に示す好適な実施形態に関してさらに説明されるものとする。本考案が図面に示す実施形態に制限されないことが理解される。むしろ、これらの実施形態は、本考案の考案概念を模範として例示する好適かつ代表的な実施形態である。
【００４０】
図１は、本考案の箱（１）の斜視図を示す。図１では、箱（１）は、箱（１）の中に収容された少なくとも１つの薬剤送達装置（４、４ａ）および映像装置（３）への直接的なアクセスを許容しない、閉鎖状態にある。箱（１）は、少なくとも１つの薬剤送達装置（４、４ａ）および映像装置（３）にアクセスするために開けられなければならない。
【００４１】
図２は、本考案の箱（１）の斜視図を示す。図２は、本考案による好適な実施形態を、略図で示している。図２は、開放状態にある箱（１）を示す。よって、蓋（２）は、箱（１）の中の薬剤送達装置（４、４ａ）および映像装置（３）へのアクセスが可能となるように、開放位置にある。図２に示す実施形態によると、箱（１）は、ちょうど２つの薬剤送達装置（４、４ａ）を含む。映像装置（３）は、保持手段（２ｂ）によって箱（１）に取り付けられる。映像装置（３）のための保持手段（２ｂ）は、蓋（２）の内表面に位置する。蓋（２）は、蓋（２）を箱の体部に接続する蝶番によって開放位置と閉鎖位置との間を動くことができる。蓋（２）は、蓋（２）を箱（１）の体部に着脱可能に取り付けることによって蓋（２）を閉鎖位置に固定するための閉鎖手段（２ａ）を含む。閉鎖手段（２ａ）は、蝶番の反対側に位置する。箱（１）は、薬剤送達装置（４、４ａ）および映像装置（３）のための取り外し可能な外被（５）をさらに含む。箱（１）は、箱に取り付けられた映像アクセス手段（１１）も含む。この実施形態では、映像アクセス手段（１１）は、ＱＲコードなどのマトリックスバーコードである。マトリックスバーコードがモバイル機器を用いてスキャンされると、モバイル機器は、マトリックスバーコードによって記
憶されたＵＲＬアドレスのウェブページを開くように構成される。ウェブページは、薬剤送達装置（４、４ａ）を使用するための映像指示を提供する訓練映像を表示する。このようにして、薬剤送達装置を使用するための映像指示は、モバイル機器を用いて、迅速にアクセスされ得る。
【００４２】
図３は、本考案の箱（１）の斜視図を示す。図３は、開放状態にある箱（１）を示す。図３は、本考案による好適な実施形態を示す。図３は、図２に示す実施形態と比べて、代替的な実施形態を示す。図３に示す箱（１）は、薬剤送達装置ダミー（６）を含む。加えて、箱（１）は、ＵＳＢ装置（不図示）を含む。ＵＳＢ装置は、薬剤送達装置を使用するための映像指示を提供する訓練映像を記憶している。
【００４３】
図４は、本考案の箱（１）の斜視図を示す。図４は、開放状態にある箱（１）を示す。図４は、本考案による好適な実施形態を示す。図４は、図２および図３に示す実施形態と比べて、代替的な実施形態を示す。図４に示す箱（１）は、薬剤送達装置ダミー（６）も、薬剤送達装置（４、４ａ）および映像装置（３）のための取り外し可能な外被（５）も含まない。加えて、箱（１）は、ＵＳＢ装置（不図示）を含む。ＵＳＢ装置は、薬剤送達装置を使用するための映像指示を提供する訓練映像を記憶している。
【００４４】
図５は、少なくとも１つの薬剤送達装置（４、４ａ）および映像装置（３）のための取り外し可能な外被（５）の斜視図を示す。外被（５）は、少なくとも１つの薬剤送達装置（４、４ａ）を受容するための第１の区画（９）と、映像装置（３）を受容するための第２の区画（１０）と、を含む。外被（５）は、第１の区画（９）を可逆的に閉鎖するための閉鎖手段（７）を含む。外被（５）は、第２の区画（１０）を可逆的に閉鎖するための閉鎖手段（８）も含む。
【符号の説明】
【００４５】
１  箱
２  蓋
２ａ  閉鎖手段
３  映像装置
４  薬剤送達装置
４ａ  薬剤送達装置
５  外被
６  薬剤送達装置ダミー
７  閉鎖手段
８  閉鎖手段
９  第１の区画
１０  第２の区画
１１  映像アクセス手段
【図１】
0003221650.tif 000003
【図２】
0003221650.tif 000004
【図３】
0003221650.tif 000005
【図４】
0003221650.tif 000006
【図５】
0003221650.tif 000007
【手続補正書】
【提出日】平成31年4月8日(2019.4.8)
【手続補正１】
【補正対象書類名】実用新案登録請求の範囲
【補正対象項目名】全文
【補正方法】変更
【補正の内容】
【実用新案登録請求の範囲】
【請求項１】
少なくとも１つの薬剤送達装置（４、４ａ）および映像装置（３）を収容する箱（１）を含むキットであって、前記少なくとも１つの薬剤送達装置（４、４ａ）および前記映像装置（３）の両方が、前記箱（１）に取り外し可能に取り付けられる、キット。
【請求項２】
前記映像装置に加えて映像アクセス手段をさらに含む、請求項１に記載のキット。
【請求項３】
前記映像アクセス手段は、（ａ）前記薬剤送達装置を使用するための映像指示に関連する情報を含むグラフィック表示、および（ｂ）前記薬剤送達装置を使用するための映像指示を含むデータ記憶装置のうちの一方または両方を含む、請求項２に記載のキット。
【請求項４】
前記グラフィック表示は、統一資源識別子（ＵＲＩ）を記載したデータを表すバーコードを含む、請求項３に記載のキット。
【請求項５】
前記データ記憶装置は、パーソナルコンピュータと通信するための統合インターフェースを含む、請求項３に記載のキット。
【請求項６】
前記箱（１）は、開放位置と閉鎖位置との間を動くことができる蓋（２）によって、閉鎖可能である、請求項１から５のいずれか一項に記載のキット。
【請求項７】
前記蓋（２）は、前記蓋（２）を前記箱（１）の体部に着脱可能に取り付けることによって、前記蓋（２）を前記閉鎖位置に固定するための閉鎖手段（２ａ）を含む、請求項６に記載のキット。
【請求項８】
前記閉鎖手段（２ａ）は、前記箱（１）の前記体部上の対応する閉鎖手段と相互作用するように構成され、その結果、前記蓋（２）上の前記閉鎖手段（２ａ）と、前記箱（１）の前記体部上の前記対応する閉鎖手段とが、磁気ロック、ジッパー、および面ファスナーからなる群から選択される、閉鎖機構を形成する、請求項７に記載のキット。
【請求項９】
前記少なくとも１つの薬剤送達装置（４、４ａ）および前記映像装置（３）は、前記蓋（２）が前記閉鎖位置にあるときに前記少なくとも１つの薬剤送達装置（４、４ａ）および前記映像装置（３）へのアクセスが妨げられるように、前記箱（１）に取り外し可能に取り付けられる、請求項６から８のいずれか一項に記載のキット。
【請求項１０】
前記少なくとも１つの薬剤送達装置（４、４ａ）および前記映像装置（３）は、前記少なくとも１つの薬剤送達装置（４、４ａ）および前記映像装置（３）が互いとは無関係に前記箱（１）から取り外され得るように、前記箱（１）に取り外し可能に取り付けられる、請求項１から９のいずれか一項に記載のキット。
【請求項１１】
前記箱（１）は、第１の薬剤送達装置（４）および第２の薬剤送達装置（４ａ）を収容する、請求項１から１０のいずれか一項に記載のキット。
【請求項１２】
前記少なくとも１つの薬剤送達装置（４、４ａ）は、事前充填医療用注射器、自動注射器、吸入器、および経皮的送達装置からなる群から選択される、請求項１から１１のいずれか一項に記載のキット。
【請求項１３】
前記少なくとも１つの薬剤送達装置（４、４ａ）は、少なくとも１つの活性成分を含む、請求項１から１２のいずれか一項に記載のキット。
【請求項１４】
前記活性成分は、エピネフリン、インスリン、ヒト成長ホルモン（ＨＧＨ）、および赤血球生成促進剤（ＥＳＡ）からなる群から選択される、請求項１３に記載のキット。
【請求項１５】
前記映像装置（３）の寸法は、多くとも２０×１０×２ｃｍである、請求項１から１４のいずれか一項に記載のキット。
【請求項１６】
前記映像装置（３）は、前記薬剤送達装置（４、４ａ）を使用するための視覚指示または視聴覚指示を提供するように構成される、請求項１から１５のいずれか一項に記載のキット。
【請求項１７】
前記箱（１）は、薬剤送達装置ダミー（６）をさらに含む、請求項１から１６のいずれか一項に記載のキット。
【請求項１８】
前記箱（１）は、前記少なくとも１つの薬剤送達装置（４、４ａ）および／または前記映像装置（３）のための取り外し可能な外被（５）をさらに含む、請求項１から１７のいずれか一項に記載のキット。
【請求項１９】
前記外被（５）は、前記少なくとも１つの薬剤送達装置（４、４ａ）を受容するための第１の区画（９）と、前記映像装置（３）を受容するための第２の区画（１０）と、を含む、請求項１８に記載のキット。
【請求項２０】
前記バーコードは、二次元バーコード、または、クイックレスポンスコード（ＱＲコード（登録商標））である、請求項４に記載のキット。
【請求項２１】
前記データ記憶装置は、ユニバーサルシリアルバス（ＵＳＢ）メモリデバイスである、請求項５に記載のキット。
【請求項２２】
前記映像装置（３）の寸法は、多くとも１５×８×１．５ｃｍである、請求項１５に記載のキット。
【請求項２３】
前記映像装置（３）の寸法は、多くとも１２×６×１．２ｃｍである、請求項２２に記載のキット。